(57)【要約】【課題】会員の端末を管理する中間サーバが、事業者サーバからの依頼によって、会員の端末にコンテンツの広告を配信し、端末でコンテンツが選択されたことを、事業者と中間サーバとが把握可能とする。【解決手段】コンテンツを提供する事業者サーバと、コンテンツに関する情報を端末に配信する中間サーバと、コンテンツに関する情報を受信する端末とから構成された紹介実績管理システムであって、事業者サーバはコンテンツの格納先を示すＵＲＬとコンテンツＩＤとを中間サーバに対して送信し、中間サーバはコンテンツＩＤを暗号化して、ＵＲＬとともに端末に対して送信し、端末はＵＲＬを選択した際に暗号化されたコンテンツＩＤを事業者サーバに対して送信し、事業者サーバは暗号化されたコンテンツＩＤを中間サーバに依頼して復号し、コンテンツＩＤを得る。【選択図】図１
2011238023.tif 000002
【特許請求の範囲】
【請求項１】
ネットワークに接続され、コンテンツを提供する事業者サーバと、前記事業者サーバからの要求により前記コンテンツに関する情報を端末に配信する中間サーバと、前記コンテンツに関する情報を受信する端末とから構成された紹介実績管理システムであって、
前記事業者サーバは、
前記コンテンツの格納先を示すＵＲＬと、前記コンテンツを識別するコンテンツＩＤとを前記中間サーバに対して送信するアフィリエイト配信要求部と、
前記中間サーバは、
前記ＵＲＬと前記コンテンツＩＤを受信する配信要求受付部と、
前記コンテンツＩＤを暗号化する暗号化部と、
前記暗号化されたコンテンツＩＤと前記ＵＲＬとを前記端末に対して送信するアフィリエイト配信部と、
前記端末は、
前記暗号化されたコンテンツＩＤと前記ＵＲＬとを前記中間サーバから受信するアフィリエイト配信受信部と、
前記ＵＲＬが選択された際に、前記事業者サーバに対して前記暗号化されたコンテンツＩＤを送信するコンテンツ情報取得部と、
前記事業者サーバは、さらに
前記端末から受信した前記暗号化されたコンテンツＩＤを受信した場合には、前記中間サーバに対して復号するように要求する復号化要求部と、
前記中間サーバは、さらに、
前記復号化要求部から受信した前記暗号化されたコンテンツＩＤを復号したコンテンツＩＤを前記事業者サーバに対して送信する復号化部と、
前記事業者サーバは、さらに、
前記中間サーバから受信した前記暗号化されたコンテンツＩＤを復号したコンテンツＩＤを受信し、前記コンテンツＩＤに関する情報を前記端末に対して送信するコンテンツ情報送信部と
からなることを特徴とする紹介実績管理システム。
【請求項２】
ネットワークに接続され、コンテンツを提供する事業者サーバと、前記事業者サーバからの要求により前記コンテンツに関する情報を端末に配信する中間サーバと、前記コンテンツに関する情報を受信する端末とから構成された紹介実績把握システムにおける紹介実績把握システムにおける紹介実績管理方法であって、
前記事業者サーバは、前記コンテンツの格納先を示すＵＲＬと、前記コンテンツを識別するコンテンツＩＤとを前記中間サーバに対して送信するアフィリエイト配信要求ステップと、
前記中間サーバは、
前記ＵＲＬと前記コンテンツＩＤを受信する配信要求受付ステップと、
前記コンテンツＩＤを暗号化する暗号化ステップと、
前記中間サーバは、前記暗号化されたコンテンツＩＤと前記ＵＲＬとを前記端末に対して送信するアフィリエイト配信ステップと、
前記端末は、
前記暗号化されたコンテンツＩＤと前記ＵＲＬとを前記中間サーバから受信するアフィリエイト配信受信ステップと、
前記ＵＲＬが選択された際に、前記事業者サーバに対して前記暗号化されたコンテンツＩＤを送信するコンテンツ情報取得ステップと、
前記事業者サーバは、さらに
前記端末から受信した前記暗号化されたコンテンツＩＤを受信した場合には、前記中間サーバに対して復号するように要求する復号化要求ステップと、
前記中間サーバは、さらに、
前記復号化要求部から受信した前記暗号化されたコンテンツＩＤを復号したコンテンツＩＤを前記事業者サーバに対して送信する復号化ステップと、
前記事業者サーバは、さらに、
前記中間サーバから受信した前記暗号化されたコンテンツＩＤを復号したコンテンツＩＤを受信し、前記コンテンツＩＤに関する情報を前記端末に送信するコンテンツ情報送信ステップと
を含むことを特徴とする紹介実績管理方法。
【発明の詳細な説明】
【技術分野】
【０００１】
本発明は、事業者サーバおよび中間サーバ、端末で構成される、アフィリエイト販売システムにおいて、中間サーバが端末に紹介することで商品が購入されたという実績を事業者サーバと中間サーバの双方において、正確に把握することを可能とする購入実績管理システムに関するものである。
【背景技術】
【０００２】
近年、インターネットを中心にネットワーク上で商品を通信販売するネット通販と呼ばれる販売形態が急速に普及している。これらのネット通販においては、消費者が商品を直接見たり、触れたりしてから購入することができないため、様々な方法で宣伝広告が行われている。そういった宣伝広告の１つの手法として、消費者間のクチコミを利用して宣伝を行う「アフィリエイト」という方法も広く行われている。
【０００３】
アフィリエイトは、事業者が販売したい商品をアフィリエイターと呼ばれる媒介者に宣伝を依頼する。アフィリエイターは、事業者から依頼された商品をブログやメール等で紹介して、消費者に宣伝する。消費者が、アフィリエイターの紹介によって、事業者から商品を購入した場合、売り上げの一部がレベニューシェアと呼ばれる紹介料として、事業者からアフィリエイターに支払われる。
【０００４】
この様なアフィリエイトシステムは、事業者がアフィリエイターによる購入実績の管理を行うシステムで運用されていることが多い。（例えば、特許文献１参照）。
【先行技術文献】
【特許文献】
【０００５】
【特許文献１】特開２００８−２５０９２０号公報
【発明の概要】
【発明が解決しようとする課題】
【０００６】
一般的に使用されているアフィリエイトシステムでは、事業者が購入実績を管理するため、事業者が圧倒的に有利な立場となり、アフィリエイターは事業者が申告する売り上げ実績を信用する他なかった。そのため、悪質な事業者が販売実績を間引いてアフィリエイターに報告し、アフィリエイターに支払うべきレベニューシェアを不正に減額するといったことも実際に事件となっている。
【０００７】
上記の問題点を鑑み、本発明では、会員が利用している端末を管理する中間サーバが、事業者からの依頼によって、会員の端末にコンテンツの広告を配信し、端末でコンテンツに関する情報の閲覧やコンテンツの購入された場合に、事業者から中間サーバにレベニューシェアが支払われるモデルにおいて、事業者と中間サーバが正確に販売実績を把握することを実現することを課題とする。
【課題を解決するための手段】
【０００８】
上記課題を解決するため、本発明の紹介実績管理システムは、ネットワークに接続され、コンテンツを提供する事業者サーバと、前記事業者サーバからの要求により前記コンテンツに関する情報を端末に配信する中間サーバと、前記コンテンツに関する情報を受信する端末とから構成された紹介実績管理システムであって、前記事業者サーバは、前記コンテンツの格納先を示すＵＲＬと、前記コンテンツを識別するコンテンツＩＤとを前記中間サーバに対して送信し、前記中間サーバは、受信した前記コンテンツＩＤを暗号化して、前記ＵＲＬとともに前記端末に対して送信し、前記端末は、受信した前記ＵＲＬが選択された際に、前記ＵＲＬとともに前記事業者サーバに対して暗号化された前記コンテンツＩＤを送信し、前記事業者サーバは、前記端末から受信した暗号化された前記コンテンツＩＤを前記中間サーバに対して送信し、前記中間サーバは、前記暗号化されたコンテンツＩＤを復号して前記事業者サーバに対して送信し、前記事業者サーバは、前記中間サーバから受信した復号されたコンテンツＩＤを受信して、前記コンテンツＩＤに関する情報を前記端末に対して送信する。
【発明の効果】
【０００９】
本発明による購入実績管理システムを用いれば、端末が事業者からコンテンツの購入を行った時に、事業者は端末が、どのコンテンツを購入しようとしているかを知るために、暗号データの復号を中間サーバに要求する。これにより、中間サーバは、いつ、どのコンテンツの購入が行われたのかを正確に知ることができるため、事業者と中間サーバの双方がコンテンツの購入実績を正確に把握することができる。
【図面の簡単な説明】
【００１０】
【図１】本発明に係る紹介実績管理システムの構成の一例を示す図
【図２】本発明に係る紹介実績管理システムのコンテンツ紹介時の処理の流れを示す図
【図３】本発明に係る紹介実績管理システムの実施の形態１で使用するＵＲＬおよび、コンテンツＩＤの例を示す図
【図４】本発明に係る紹介実績管理システムの実施の形態１で使用するＵＲＬおよび、暗号データの例を示す図
【図５】本発明に係る紹介実績管理システムの処理の流れおよび、画面イメージを示す図
【発明を実施するための形態】
【００１１】
（実施の形態）
以下、本発明を適用した具体的な実施の形態について図面を参照にしながら詳細を説明する。
【００１２】
本実施の形態においては、ネットワークを介してコンテンツを販売する事業者が提供するコンテンツサーバと、コンテンツの視聴機能および、インターネットからのダウンロード機能を有する端末と、それらの端末を管理し、事業者から依頼のあったコンテンツを端末に対してお薦めコンテンツとして広告配信を行う中間サーバで構成されるコンテンツ紹介販売システムである。
【００１３】
図１に示すように、本実施の形態のシステムは、事業者サーバ１２１と、中間サーバ１０１と、端末１３１とで構成され、それぞれがネットワーク１１０を通じて接続されている。ネットワーク１１０は、インターネットやイントラネットなど、また、無線、有線などその種類は問わない。
【００１４】
事業者サーバ１２１は、コンテンツ送信部１２２、アフィリエイト配信要求部１２３、コンテンツ情報送信部１２４、復号要求部１２５、コンテンツＤＢ１２６とから構成される。
【００１５】
中間サーバ１０１は、配信要求受付部１０２、暗号化部１０３、復号化部１０４、アフィリエイト配信部１０５とから構成される。
【００１６】
端末１３１は、アフィリエイト配信部１３２、配信広告表示部１３３、コンテンツ表示部１３４、コンテンツ情報取得部１３５、コンテンツ取得部１３６とから構成される。
【００１７】
コンテンツを販売する事業者がユーザに広告を行いたいコンテンツの格納先を示すＵＲＬおよび、コンテンツを識別するコンテンツＩＤは、コンテンツとともにコンテンツＤＢ１２６に格納されている。アフィリエイト配信要求部１２３は、広告配信の要求として、これらＵＲＬやコンテンツＩＤを、ネットワーク１１０を経由して、中間サーバ１０１へ送信する。この時、コンテンツに関する説明や、広告などの情報を一緒に中間サーバ１０１へ送信しても構わない。
【００１８】
配信要求受付部１０２は、アフィリエイト配信要求部１２２から送信された、広告配信の要求を受信し、暗号化部１０３でコンテンツＩＤを暗号化し、暗号データを生成する。暗号化部１０３で使用する暗号の方式は問わない。
【００１９】
アフィリエイト配信部１０５は、暗号化部１０４で生成した暗号化データと、配信要求受付部１０２で受信したＵＲＬを用いてお薦め広告を作成し、ネットワーク１１０を経由して、会員の利用している端末１３１へお薦め広告を配信する。
【００２０】
アフィリエイト配信受信部１３２は、アフィリエイト配信部１０５から配信されたお薦め広告を受信し、お薦め広告を受信したことを端末１３１を通じて会員に通知する。この時の通知方法は、端末１３１に接続されたディスプレイでの表示や、端末１３１にＬＥＤを搭載し、それを点滅させるなど、その方法は問わない。
【００２１】
端末１３１の所有者は会員であり、端末１３１を利用する人は会員またはユーザである。以下では、端末１３１を利用する人をとして表現する。
【００２２】
配信広告表示部１３３は、ユーザの表示指示によって、アフィリエイト配信受信部１３２で受信したお薦め広告を表示する。お薦め広告の表示は、ユーザの表示指示だけによらず、端末の電源投入時に自動的に表示するというようにしても構わない。
【００２３】
お薦め情報を見たユーザがそのお薦め情報で提示されたコンテンツに興味を持った場合に、コンテンツ情報取得部１３５は、ユーザの指示を受けてそのコンテンツの詳細情報を、お薦め広告に含まれるＵＲＬで示される事業者サーバ１２１へネットワーク１１０を経由して要求する。この時、お薦め広告に含まれる暗号データを事業者サーバ１２１へ送信する。
【００２４】
コンテンツ情報送信部１２４は、コンテンツ情報取得部１３５からの要求に基づき、コンテンツの詳細情報の生成を行う。この時、コンテンツ情報取得部１３５から受けた要求に含まれるユーザが見たいコンテンツを識別するためのコンテンツＩＤは、暗号化された暗号データとなっている。このため、事業者サーバ１２４は、端末１３１から要求を受けたコンテンツＩＤを特定するために、中間サーバ１０１に対して暗号データの復号を要求する。コンテンツ情報送信部１２４は、復号化要求部１２５を通じて、復号化部１０４へ暗号データの復号要求を行う。
【００２５】
復号化部１０４は、復号化要求部１２５からの要求に基づき、暗号データを復号し、コンテンツＩＤ生成し、コンテンツ情報送信部１２４に対して送信する。この時、中間サーバ１０１は、中間サーバ１０１から端末１３１へ配信したお薦め広告をきっかけとして、端末１３１を利用したユーザがコンテンツに興味を持ち、端末１３１がコンテンツの詳細情報の取得を事業者サーバ１２１から行ったと判断し、紹介実績としてコンテンツＩＤおよび、時刻情報などを記録する。
【００２６】
復号化部１０４から、コンテンツＩＤを受信したコンテンツ情報送信部１２４は、コンテンツＩＤで示されるコンテンツに関する詳細情報をコンテンツ情報取得部１３５へ送信する。
【００２７】
コンテンツ情報取得部１３５は、コンテンツ情報送信部１２４から受信したデータを使用して、コンテンツの詳細情報を端末１３１の画面などに表示してユーザに提示する。
【００２８】
コンテンツ取得部１３６は、コンテンツの詳細情報を見たユーザが、コンテンツの購入を行う場合には、課金決済の手続きを行い、コンテンツＤＢ１２６へ、コンテンツの送信を要求する。
【００２９】
コンテンツＤＢ１２６は、事業者が販売するコンテンツも蓄積しており、端末１３１からの要求に応じてコンテンツを端末１３１に対して送信する。
【００３０】
コンテンツ表示部１３４は、コンテンツＤＢ１２６から、コンテンツを受信し、ユーザに提示する。
【００３１】
以下、さらに、本実施の形態に係るコンテンツ紹介販売システムを用いた具体的な例として、動画配信販売事業者が、レコーダ端末保有者を会員として持つアフィリエイト事業者を経由して、インターネットを通じて動画コンテンツをアフィリエイト販売するモデルを説明する。
【００３２】
事業者サーバ１２１は、コンテンツＤＢ１２６にドラマや映画等の映像コンテンツを蓄積しており、それをインターネットに接続された端末１３１に対して配信販売するコンテンツ配信サービスを提供するためのサーバである。
【００３３】
ユーザは、端末１３１を操作して、事業者サーバ１２１が販売するコンテンツを購入し、コンテンツ表示部１３４を用いて視聴することができる。
【００３４】
中間サーバ１０１は、レコーダ端末である端末１３１を保有するユーザを会員として管理しており、会員のコンテンツ視聴履歴に基づいて会員にお薦めのコンテンツや、動画配信販売事業者が広告を行いたいコンテンツをお薦め情報として端末１３１にプッシュ配信するなどのサービスを行うためのサーバである。
【００３５】
動画配信販売事業者は、端末１３１のユーザに自社の配信コンテンツを宣伝したい場合、アフィリエイト事業者に対して、コンテンツの広告を依頼する。アフィリエイト事業者は、その管理している端末１３１に対して、中間サーバ１０１を通じてコンテンツの広告を配信する。端末１３１のユーザが、端末１３１に表示された広告に興味を示し、コンテンツの詳細情報を動画配信事業者のサーバである事業者サーバ１２１から取得した場合、あらかじめ定められた料率によるレベニューシェアが動画配信通信事業者からアフィリエイト事業者に対して支払われるという状況を例に説明する。
【００３６】
このモデルで実際にコンテンツの紹介および、ユーザが購入する場合の処理の流れを図２を使って説明する。
【００３７】
動画配信事業者は、管理する事業者サーバ１２１のアフィリエイト配信要求部１２３からアフィリエイト事業者の管理する中間サーバ１０１に対して、販売を促進したいコンテンツに関する広告の依頼を行う（フローＦ２１）。
【００３８】
この時、コンテンツを指し示す情報として、コンテンツを格納しているサーバのロケーション情報であるＵＲＬと、コンテンツを一意に特定するためのコンテンツＩＤとを分けて中間サーバ１０１に送る。コンテンツを指し示す情報のイメージを図３に示す。なお、動画配信事業者からの広告の依頼は、1回で１つのコンテンツでも良いし、複数のコンテンツをまとめて依頼してもよい。また、広告の依頼時に、コンテンツを指し示す情報以外にも、コンテンツのタイトルや、キャンペーンによる割引情報など、付加情報を一緒に中間サーバへ送ってもよい。
【００３９】
事業者サーバ１２１から広告の依頼を受けた中間サーバ１０１は、配信要求受付部１０２で、ユーザに配信する広告の作成を行う。ここでは、事業者サーバから受け取ったデータを基にして、ユーザへ配信する広告を広告フォーマットに適用したお薦めメールを作成する。また、事業者サーバ１２１から受け取ったコンテンツＩＤを暗号化部１０３で暗号化し、暗号データとしたものをＵＲＬと一緒にお薦めメールに埋め込む。メールに埋め込むデータのイメージを図４に示す。
【００４０】
配信要求受付部１０２で作成したお薦めメールは、アフィリエイト配信部１０５で、中間サーバ１０１で管理している、会員の保有する端末１３１に配信を行う（フローＦ２２）。この時、配信の対象は、全会員でもよく、また、会員の属性に基づいて選別された一部の会員でもよく、さらに、会員の過去の購入履歴から類推される会員の嗜好に合致する会員のみでもよい。また、配信の方法は、この実施の形態ではメールとしているが、インスタントメッセージなど、その方法は問わない。
【００４１】
中間サーバ１０１からお薦めメールを受信した端末は、アフィリエイト配信受信部１３２で、お薦めメールの受信をユーザに通知する。この時の通知方法は、画面上にアイコンなどを表示してもよいし、端末に付属するＬＥＤを点滅させたりなど、その方法は問わない。
【００４２】
ユーザが、お薦めメールの受信に気づき、その内容を確認する操作を行った場合、配信広告表示部１３３で、その内容を表示する。お薦めメールのイメージを図５のイメージ５５１に示す。ここでは、ユーザの操作によりお薦めメールを表示するとしたが、ユーザが端末１３１の電源を入れた時などに、強制表示するなども考えられ、ユーザによる確認の操作をお薦めメールの表示に必須とはしない。
【００４３】
お薦めメールで広告されているコンテンツにユーザが興味を持った場合、端末１３１を操作してユーザはコンテンツの詳細情報の表示を要求する操作を行う（ユーザの表示要求操作２０７）。この時の操作は、アイコンのクリックなど、その方法は問わない。
【００４４】
ユーザがコンテンツの詳細情報の表示を要求した場合、コンテンツ情報取得部１３５は、お薦めメールに含まれるＵＲＬを基にして、事業者サーバ１２１に対してコンテンツの詳細情報の提供を要求する（フローＦ２３）。この時、暗号化データを事業者サーバに送る。
【００４５】
端末１３１から詳細情報の要求を受けた事業者サーバ１２１は、端末１３１から暗号化データを受け取っている。このため、端末１３１に対してどのコンテンツの詳細情報を提供したらよいのかがわからない。そこで、復号化要求部１２５を用通じて、事業者サーバ１２１は中間サーバ１０１に対して暗号データの復号要求を行う（フローＦ２３）。
【００４６】
事業者サーバ１２１から復号化要求を受けた中間サーバ１０１は、復号化部１０４を用いて暗号データを復号し、暗号データからコンテンツＩＤを復元し、復元したコンテンツＩＤを事業者サーバ１２１に通知する。また、中間サーバ１０１は、事業者サーバ１２１から暗号データの復号化要求が来たことによって、中間サーバ１０１から会員に配信した広告によって、端末１３１を利用したユーザが動画販売事業者の販売するコンテンツに興味を示し、詳細情報の取得を行ったという実績として、カウントし、時刻などの情報を保存する。
【００４７】
中間サーバ１０１からコンテンツＩＤを受け取った事業者サーバ１２１は、該当のコンテンツＩＤに紐づけられた詳細情報をコンテンツ情報送信部１２４を用いて、端末１３１へ送信する。この時、コンテンツの購入に必要なリンク情報を一緒に端末へ送信しておく（フローＦ２５）。
【００４８】
事業者サーバ１２１から、興味を持ったコンテンツの詳細情報を受け取った端末１３１は、コンテンツの詳細情報を表示する。端末１３１で表示するコンテンツの詳細情報のイメージを図５５２で示す。コンテンツの詳細情報を見たユーザが、コンテンツを購入する場合は、課金決済など、コンテンツの購入操作２１２を行う。その後、コンテンツ取得部１３６を用いて、事業者サーバにコンテンツの取得を要求する（フローＦ２６）。
【００４９】
端末１３１から、コンテンツの取得要求を受けた事業者サーバ１２１は、コンテンツＤＢ１２６から、コンテンツを端末１３１に送信する（フローＦ２７）。
【００５０】
事業者サーバ１２１から、購入したコンテンツを受信した端末１３１は、コンテンツ表示部１３４を用いて、コンテンツの再生を行う。
【００５１】
これまでの一連の操作によって、動画配信事業者がアフィリエイト事業者に対して事業者サーバ１２１を通じてコンテンツの広告を依頼する。そして、アフィリエイト事業者がその会員に対して、動画配信事業者の提供するコンテンツをお薦めメールとして中間サーバ１０１から端末１３１に対して配信する。アフィリエイト事業者が発信したお薦め情報をきっかけとして、会員の端末１３１を通じてコンテンツの詳細情報を動画配信事業者から取得した場合、事業者サーバ１２１から要求された復号化要求を中間サーバ１０１が受信することにより、その実績アフィリエイト事業者も正確に把握することが可能となる。
【００５２】
なお、本実施の形態では、動画配信事業者が扱うコンテンツを端末への紹介の対象としたが、動画コンテンツだけでなく、音楽や、写真データ、ソフトウエアなど、紹介の対象は様々なコンテンツが考えられる。また、本発明は、デジタルコンテンツの紹介販売だけでなく、物品や、サービスなど、様々な商品のプロモーションに適用可能なことは言うまでもない。
【００５３】
また、本実施の形態では、事業者サーバと、中間サーバ、端末で構成されるモデルで説明したが、これらを全て、コンピュータ上で動作するソフトウエアで実現することも可能であることも可能である。
【産業上の利用可能性】
【００５４】
本発明に係る購入実績管理システムは、販売事業者と、商品を第三者に紹介するアフィリエイト事業者の双方が、ユーザの購入や、商品情報の参照実績を正確に把握することができるため、第三者からの紹介によって、デジタルテレビ、モバイルＡＶ端末、携帯電話、ＰＣなどの機器から、物品を購入するアフィリエイト方式での物品の紹介サービスなどに有用である。
【符号の説明】
【００５５】
１０１  中間サーバ
１０２  配信要求受付部
１０３  暗号化部
１０４  復号化部
１０５  アフィリエイト配信部
１１０  ネットワーク
１２１  事業者サーバ
１２２  コンテンツ送信部
１２３  アフィリエイト配信要求部
１２４  コンテンツ情報送信部
１２５  復号化要求部
１２６  コンテンツＤＢ
１３１  端末
１３２  アフィリエイト配信受信部
１３３  配信広告表示部
１３４  コンテンツ表示部
１３５  コンテンツ情報取得部
１３６  コンテンツ取得部
【図１】
2011238023.tif 000003
【図２】
2011238023.tif 000004
【図３】
2011238023.tif 000005
【図４】
2011238023.tif 000006
【図５】
2011238023.tif 000007